(57)【特許請求の範囲】
【請求項１】
底板と互いに対向する左右一対の側板と背面板とを備えた収納箱と、この収納箱の底板上に載置した蓄電池の前後方向を前記背面板と前記側板間に横架した支持部材とによって挟持する蓄電池の収納構造であって、
前記支持部材の一端に支持部材の延在方向に突設した第１の突片とこの第１の突片と直交する折曲片とを設け、前記支持部材の他端に前記第１の突片よりも突出長さが長い第２の突片を設け、前記支持部材の全長から前記第１の突片の突出長さを減算した長さを前記両側板間の間隔よりも長く形成し、かつ支持部材の全長から前記第２の突片の突出長さを減算した長さを前記両側板の間隔よりも短く形成し、
前記一対の側板のそれぞれに前記支持部材の第１の突片および第２の突片が係入される第１の係入溝および第２の係入溝を前後方向に複数対設け、
前記支持部材の第１の突片および第２の突片を前記側板の第１の係入溝および第２の係入溝に係入した状態で前記支持部材の折曲片を前記側板に締結する締結手段を備えたことを特徴とする蓄電池の収納構造。
【請求項２】
請求項１記載の蓄電池の収納構造において、
前記締結手段を、前記折曲片に設けたねじ孔と、前記一対の側板に設けたねじ挿通孔と、このねじ挿通孔に挿通され前記ねじ孔に螺合するねじとによって構成し、
前記第１および第２の突片のそれぞれを互いに対向するように一対設け、
前記第１および第２の係入溝のそれぞれを互いに対向するように一対設け、
前記ねじ孔を前記一対の第２の突片間の中央に位置付けたことを特徴とする蓄電池の収納構造。
【請求項３】
請求項２記載の蓄電池の収納構造において、
前記支持部材を、互いに対向する上板および下板とこれら上板および下板を連結する連結板とによって断面コ字状に折曲形成し、前記上板および下板の両端に前記第１および第２の突片を設け、
前記ねじ孔を前記第２の突片の幅方向の中央部からずらした位置に位置付けたことを特徴とする蓄電池の収納構造。
【請求項４】
請求項２記載の蓄電池の収納構造において、
前記第２の突片の一方の幅を他方の幅よりも長く形成し、前記第１の突片の幅を前記第２の突片の他方の幅と同じ長さに形成し、
前記第２の係入溝の一方の幅を前記第２の突片の一方の幅と同じ長さに形成し、他方の幅を前記第２の突片の他方の幅と同じ長さに形成し、
前記第１の係入溝の一方の幅を前記第２の突片の一方の幅と同じ長さに形成し、他方の幅を前記第２の突片の他方の幅と同じ長さに形成し、
前記第２の係入溝の一方と前記第１の係入溝の他方とを互いに対向させ、前記第２の係入溝の他方と前記第１の係入溝の一方とを互いに対向させたことを特徴とする蓄電池の収納構造。
【発明の詳細な説明】
【技術分野】
【０００１】
本発明は、停電時に各種電子機器の電源をバックアップするための蓄電池の収納構造に関するものである。
【背景技術】
【０００２】
この種の蓄電池の収納構造においては、バックアップする電子機器の電源の容量やバックアップする時間等によって、必要とされる蓄電池の数量が異なってくるため、蓄電池を収納する蓄電池収納箱には収納する蓄電池の個数を可変可能な構造が要求される。また、容量の大きい蓄電池を使用する場合は、蓄電池自体が大きな重量となるため、現場に設置する以前に蓄電池を蓄電池収納箱に収納した状態にすると、納品のための運搬中に蓄電池や蓄電池収納箱に傷を付けたり、蓄電池の性能を劣化させたりするおそれがある。
【０００３】
したがって、蓄電池を設置する現場において、設置した空の蓄電池収納箱内に蓄電池を蓄電池を収納するようにしている。このような蓄電池収納箱は、重量が大きくなってしまう上に意匠的な配慮がなされていないことが多いため、目立たない場所や人体との接触を回避できる場所、例えば部屋の隅で、かつ低い位置である床に直に載置されることが多い。このため、蓄電池収納箱に蓄電池を収納する作業は、作業姿勢が悪い状態で重い蓄電池を収納しなければならないことや、工具を操作するための空間が限られることにより、作業性が良好であることが要求される。
【０００４】
従来は、互いに対向する一対の側板と、これら側板間に掛け渡された複数段の棚板と、背面板とによって前方が開口した蓄電池収納箱を備え、複数段の棚板のうち選択した棚板上に必要とされる蓄電池を載置し、載置された蓄電池が蓄電池収納箱の開口部から抜け出ないように開口部の一部を覆う固定板を側板間に掛け渡すようにしたものがある（例えば、特許文献１参照）。
【特許文献１】特開２００３−３３１８０４号公報（段落「００１３」、図３）
【発明の開示】
【発明が解決しようとする課題】
【０００５】
上述した従来の蓄電池の収納構造においては、蓄電池の収納数を変えるために複数段の棚板が必要となるため、部品点数が増加することによって製造コストが嵩むという問題があった。また、蓄電池の収納数を変更する場合に、固定板を新たに用意しなければならなかったり、不要になった固定板を保管しておく必要があるというように使い勝手が悪いという問題があった。
【０００６】
本発明は上記した従来の問題に鑑みなされたものであり、その目的とするところは、製造コストの低減を図るとともに使い勝手を向上させた蓄電池の収納構造を提供するところにある。
【課題を解決するための手段】
【０００７】
この目的を達成するために、請求項１に係る発明は、底板と互いに対向する左右一対の側板と背面板とを備えた収納箱と、この収納箱の底板上に載置した蓄電池の前後方向を前記背面板と前記側板間に横架した支持部材とによって挟持する蓄電池の収納構造であって、前記支持部材の一端に支持部材の延在方向に突設した第１の突片とこの第１の突片と直交する折曲片とを設け、前記支持部材の他端に前記第１の突片よりも突出長さが長い第２の突片を設け、前記支持部材の全長から前記第１の突片の突出長さを減算した長さを前記両側板間の間隔よりも長く形成し、かつ支持部材の全長から前記第２の突片の突出長さを減算した長さを前記両側板の間隔よりも短く形成し、前記一対の側板のそれぞれに前記支持部材の第１の突片および第２の突片が係入される第１の係入溝および第２の係入溝を前後方向に複数対設け、前記支持部材の第１の突片および第２の突片を前記側板の第１の係入溝および第２の係入溝に係入した状態で前記支持部材の折曲片を前記側板に締結する締結手段を備えたものである。
【０００８】
請求項２に係る発明は、請求項１に係る発明において、前記締結手段を、前記折曲片に設けたねじ孔と、前記一対の側板に設けたねじ挿通孔と、このねじ挿通孔に挿通され前記ねじ孔に螺合するねじとによって構成し、前記第１および第２の突片のそれぞれを互いに対向するように一対設け、前記第１および第２の係入溝のそれぞれを互いに対向するように一対設け、前記ねじ孔を前記一対の第２の突片間の中央に位置付けたものである。
【０００９】
請求項３に係る発明は、請求項２に係る発明において、前記支持部材を、互いに対向する上板および下板とこれら上板および下板を連結する連結板とによって断面コ字状に折曲形成し、前記上板および下板の両端に前記第１および第２の突片を設け、前記ねじ孔を前記第２の突片の幅方向の中央部からずらした位置に位置付けたものである。
【００１０】
請求項４に係る発明は、請求項２に係る発明において、前記第２の突片の一方の幅を他方の幅よりも長く形成し、前記第１の突片の幅を前記第２の突片の他方の幅と同じ長さに形成し、前記第２の係入溝の一方の幅を前記第２の突片の一方の幅と同じ長さに形成し、他方の幅を前記第２の突片の他方の幅と同じ長さに形成し、前記第１の係入溝の一方の幅を前記第２の突片の一方の幅と同じ長さに形成し、他方の幅を前記第２の突片の他方の幅と同じ長さに形成し、前記第２の係入溝の一方と前記第１の係入溝の他方とを互いに対向させ、前記第２の係入溝の他方と前記第１の係入溝の一方とを互いに対向させたものである。
【発明の効果】
【００１１】
請求項１および４に係る発明によれば、支持部材の一端に第１の突片を突設し、支持部材の他端に第１の突片よりも突出長さが長い第２の突片を設け、支持部材の全長から第１の突片の突出長さを減算した長さを両側板間の間隔よりも長く形成し、かつ支持部材の全長から第２の突片の突出長さを減算した長さを両側板の間隔よりも短く形成したことにより、これらの突片を両側板の係入溝に係入することにより、支持部材を側板間に保持した状態で、支持部材の側板への締結作業を行うことができる。このため、床等に置かれた蓄電池収納箱に支持部材を取り付けるときのように作業姿勢が悪い状態での締結作業を行う場合でも、支持部材を手で保持することなく締結作業を行うことができるため、作業者の負荷を軽減することができる。また、一個の支持部材によって、収納数の異なる蓄電池の移動を規制することができるため、蓄電池の収納数によって支持部材を新たに用意しなければならなくなったり、不要になった支持部材を保管しておく必要がないため使い勝手が向上する。また、部品点数が増加しないため製造コストを低減することができる。
【００１２】
請求項２および４に係る発明によれば、支持部材の左右端を反転させてもねじ孔の位置が変わらないことにより、支持部材のねじ止め作業を両側板のどちらからでも行うことができる。このため、蓄電池収納箱の設置場所に制約がなくなるから、設置する作業者の使い勝手が向上する。
【００１３】
請求項３および４に係る発明によれば、支持部材を長手方向を軸として回動させた状態で側板に取り付けることが阻止されるため、支持部材の上板と下板の端面が蓄電池に対接して取り付けられることがないから、上板と下板の端面に発生するばりによって蓄電池の表面に傷を付けるようなことがない。
【００１４】
請求項４に係る発明によれば、第２の突片の一方を第２の係入溝の他方に係入しようとする段階で支持部材を側板に取り付けられないことが判るため、取付作業をやり直す時間が短縮され作業効率が向上する。
【発明を実施するための最良の形態】
【００１５】
以下、本発明の実施の形態を図に基づいて説明する。図１は本発明に係る蓄電池の収納構造を適用したボタン電話装置の主装置の外観を示す斜視図、図２は同じく蓄電池ボックスの外観を示す斜視図、図３は同じく蓄電池収納箱の正面図、図４は同じく蓄電池を２個収納した状態を示す蓄電池収納箱の斜視図、図５は同じく蓄電池を４個収納した状態を示す蓄電池収納箱の斜視図である。
【００１６】
図６は本発明に係る蓄電池の収納構造において、蓄電池を６個収納した状態を示す蓄電池収納箱の斜視図、図７は同じく支持部材を示し、同図（Ａ）は平面図、同図（Ｂ）は正面図、同図（Ｃ）は右側面図、図８は同じく支持部材の突片と側板の係入溝との関係を説明するための斜視図で、同図（Ａ）は支持部材が取付可能な正常な状態を示し、同図（Ｂ）は支持部材の前後方向を逆とした場合の取付けができない状態を示す。
【００１７】
図９は本発明に係る蓄電池の収納構造において、支持部材の突片と側板の係入溝との位置関係を説明するための図８（Ａ）におけるIX矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示し、図１０は同じく支持部材の前後方向を逆とした場合に取付けができないことを説明するための図８（Ｂ）における X矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示す。
【００１８】
図１１は本発明に係る蓄電池の収納構造において、支持部材を左右の側板のいずれからでもねじ止めが可能であることを説明するための図８（Ａ）におけるXI矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示し、図１２は同じく支持部材を両側板間に横架するために支持部材の第２の突片を側板の第２の係入溝に係入する状態を示し、同図（Ａ）は横断面図、同図（Ｂ）は縦断面図である。
【００１９】
図１３は本発明に係る蓄電池の収納構造において、支持部材を両側板間に横架するために支持部材の第２の突片全体を側板の第２の係入溝に係入し、支持部材の第１の突片を側板の第１の係入溝に対向させた状態を示し、同図（Ａ）は横断面図、同図（Ｂ）は縦断面図、図１４は同じく支持部材を両側板間に横架するために支持部材の第２の突片を側板の第２の係入溝に係入したままの状態で、支持部材の第１の突片を側板の第１の係入溝に係入した状態を示し、同図（Ａ）は横断面図、同図（Ｂ）は縦断面図である。
【００２０】
図１に全体を符号１で示すボタン電話装置用の主装置は、蓄電池ボックス２とこの蓄電池ボックス２上に載置され蓄電池ボックス２と共通の筺体を使用した制御ボックス３Ａとによって構成されている。蓄電池ボックス２内には、停電時に制御ボックス３Ａ内の制御装置等の電源をバックアップするための複数個の蓄電池５が収納されている。
【００２１】
制御ボックス３Ａ内の制御装置は、この制御装置に電気的に接続される多数の子機としてのボタン電話装置（いずれも図示せず）間の転送や接続等を制御する。この制御ボックス３Ａは、制御できる電話回線の回線数が決まっており、その回線数以上になった場合は、二つ目の制御ボックス３Ｂ（図示せず）を用意し、一つ目の制御ボックス３Ａ上に載置して使用している。
【００２２】
本実施の形態では、一つの制御ボックスによって１００回線まで制御でき、主装置１として最大で３００回線まで制御できるように構成されており、３個の制御ボックス３Ａないし３Ｃ（制御ボックス３Ｂ，３Ｃは図示せず）を積載するようにしている。また、一つの制御ボックス３を２個の蓄電池５によってバックアップするように構成されており、２つまたは３つの制御ボックスに対して、４個または６個の蓄電池５が必要になる。したがって、蓄電池ボックス２内には、後述するように２個または４個あるいは６個の蓄電池５が選択的に収納できるように構成している。
【００２３】
蓄電池ボックス２は、図４に示す蓄電池収納箱１０を備えており、この蓄電池収納箱１０は、底板１１と、この底板１１に取り付けられ互いに対向する左右一対の側板１２Ａ，１２Ｂと、これら側板１２Ａ，１２Ｂに枠状フレーム１４を介して取り付けられた背面板１３とによって概略構成されている。この蓄電池収納箱１０の外形寸法は、底板１１に載置される蓄電池５が、左右（矢印Ｃ−Ｄ）方向に２個、前後（矢印Ａ−Ｂ）方向に３列の計６個まで収容できる大きさに形成されている。
【００２４】
この蓄電池収納箱１０は、前方（矢印Ａ方向）および上方が共に開放され、開口部１５，１６が設けられているとともに、両側板１２Ａ，１２Ｂのそれぞれに一対の窓１７Ａ，１７Ａ、窓１７Ｂ，１７Ｂが設けられている。このうち、開口部１５は、図２に示すようにフロントパネル２１によって覆われ、開口部１６はトップパネル２０によって覆われ、窓１７Ａと窓１７Ｂとはサイドパネル２２，２２によって覆われることにより、図２に示す蓄電池ボックス２が形成される。
【００２５】
側板１２Ａの窓１７Ａ，１７Ａに挟まれた部位および側板１２Ｂの窓１７Ｂ，１７Ｂに挟まれた部位には、互いに対向する３対の支持部２３Ａ，２３Ｂおよび支持部２４Ａ，２４Ｂならびに支持部２５Ａ，２５Ｂが、矢印Ａ−Ｂ方向に互いに同じ間隔Ｚだけ隔てられるように設けられている。
【００２６】
この間隔Ｚは、後述する支持部材３０が支持部２３Ａ，２３Ｂ間および支持部２４Ａ，２４Ｂ間ならびに支持部２５Ａ，２５Ｂ間に選択的に横架されたときに、この横架された支持部材３０が、蓄電池収納箱１０内に収納される２個の蓄電池５または４個の蓄電池５あるいは６個の蓄電池５のそれぞれの前面に対接するように設定されている。これら支持部２３Ａないし２５Ａは、一対の第１の係入溝２６Ａ，２７Ａと第１のねじ挿通孔２８Ａとによって構成されている。また、支持部２３Ｂないし２５Ｂは、一対の第２の係入溝２６Ｂ，２７Ｂと第２のねじ挿通孔２８Ｂとによって構成されている。
【００２７】
図９（Ａ）に示すように、便宜上ハッチングを付した一対の第１の係入溝２６Ａと第１の係入溝２７Ａは、共に矢印Ａ−Ｂ方向に延在するようにスリット状で共に幅がＷ１に形成され、上下方向において互いに２δだけ離間して対向している。
【００２８】
第１のねじ挿通孔２８Ａは、一対の第１の係入溝２６Ａと第１の係入溝２７Ａとから同じ距離δだけ離間した位置、すなわち第１の係入溝２６Ａ，２７Ａ間の中央の位置に位置付けられている。また、この第１のねじ挿通孔２８Ａは、第１の係入溝２６Ａ，２７Ａの矢印Ａ−Ｂ方向の互いの中央を結んだ線Ｇ１から矢印Ａ方向に距離αだけずれた位置に位置付けられている。
【００２９】
図１１（Ａ）に示すように、便宜上ハッチングを付した一対の第２の係入溝２６Ｂと第２の係入溝２７Ｂは、共に矢印Ａ−Ｂ方向に延在するようにスリット状で共に幅がＷ１に形成され、上下方向において互いに２δだけ離間して対向している。第２のねじ挿通孔２８Ｂは、一対の第２の係入溝２６Ｂと第２の係入溝２７Ｂとから同じ距離δだけ離間した位置、すなわち第２の係入溝２６Ｂ，２７Ｂ間の中央の位置に位置付けられている。
【００３０】
また、この第２のねじ挿通孔２８Ｂは、第２の係入溝２６Ｂ，２７Ｂの矢印Ａ−Ｂ方向の互いの中央を結んだ線Ｇ１から矢印Ａ方向に距離αだけずれた位置に位置付けられている。したがって、支持部２３Ａないし２５Ａを構成する第１の係入溝２６Ａ，２７Ａおよび第１のねじ挿通孔２８Ａは、支持部２３Ｂないし２５Ｂを構成する第２の係入溝２６Ｂ，２７Ｂおよび第２のねじ挿通孔２８Ｂと同じ形状で、かつ第２の係入溝２６Ｂ，２７Ｂおよび第２のねじ挿通孔２８Ｂのそれぞれと対向した位置に位置付けられている。
【００３１】
図８において、３０は細長く形成された支持部材であって、細長い略長方形に形成された金属製の板材をプレス加工により折り曲げ形成することにより、上板３１と下板３２とこれらを連結する連結板３３とによって断面がコ字状に形成されている。連結板３３の一端部は上板３１および下板３２よりもやや延設され、この延設部が連結板３３と直交するように上板３１および下板３２側に折り曲げ形成され折曲片３４が設けられており、この折曲片３４にはねじ孔３５が形成されている。
【００３２】
また、上板３１および下板３２の一端には、これら上板３１および下板３２の延在方向に突出し互いに対向する第１の突片３６Ａ，３７Ａが突設されている。上板３１および下板３２の他端には、これら上板３１および下板３２の延在方向に突出し互いに対向する第２の突片３６Ｂ，３７Ｂが突設されている。
【００３３】
第２の突片３６Ｂ，３７Ｂの突出長さｌ２は、図１２（Ｂ）に示すように、第１の突片３６Ａ，３７Ａの突出長さｌ１よりも長く形成されている。また、支持部材３０の長手方向の寸法Ｌ１からｌ２を減算した長さ（Ｌ１−ｌ２）が、両側板１２Ａ、１２Ｂ間の間隔Ｌよりもやや短く形成され、かつＬ１からｌ１を減算した長さ（Ｌ１−ｌ１）が、両側板１２Ａ、１２Ｂ間の間隔Ｌよりもやや長く形成されている。
【００３４】
また、第１の突片３６Ａ，３７Ａは、上記した第１の係入溝２６Ａ，２７Ａのそれぞれに同時に係入可能で、かつ第２の係入溝２７Ｂ，２６Ｂのそれぞれに同時に嵌合可能なように形成されている。また、第２の突片３６Ｂ，３７Ｂは、上記した第２の係入溝２６Ｂ，２７Ｂのそれぞれに同時に嵌合可能で、かつ第１の係入溝２７Ａ，２６Ａのそれぞれに同時に嵌合可能なように形成されている。
【００３５】
また、折曲片３４に設けたねじ孔３５は、図９（Ｂ）に示すように、第１の両突片３６Ａ，３７Ａから同じ距離δだけ離間した位置、すなわち第１の両突片３６Ａ，３７Ａ間の中央の位置に位置付けられている。また、このねじ孔３５は、第１の両突片３６Ａ，３７Ａの矢印Ａ−Ｂ方向の互いの中央を結んだ線Ｇ２、すなわち第１の両突片３６Ａ，３７Ａの幅方向の中央部から矢印Ａ方向に距離αだけずれた位置に位置付けられている。
【００３６】
このように構成されていることにより、図８（Ａ）に示すように、支持部材３０の第２の突片３６Ｂ，３７Ｂを側板１２Ｂの第２の係入溝２６Ｂ，２７Ｂに係入すると、第１の突片３６Ａ，３７Ａを側板１２Ａの第１の係入溝２６Ａ，２７Ａに係入可能となる。この状態で、第１の突片３６Ａ，３７Ａを側板１２Ａの第１の係入溝２６Ａ，２７Ａに係入すると、図９（Ｃ）に示すように折曲片３４のねじ孔３５が第１のねじ挿通孔２８Ａに一致する。
【００３７】
次に、図８（Ａ）の状態から、同図（Ｂ）に示すように、支持部材３０の上板３１と下板３２との上下を逆とするように支持部材３０を長手方向を軸として１８０°回動させ、図１０（Ｂ）に示すように、連結板３３を矢印Ａ方向に指向させる。この状態で、支持部材３０の第２の突片３６Ｂ，３７Ｂを側板１２Ｂの第２の係入溝２７Ｂ，２６Ｂに係入し、第１の突片３６Ａ，３７Ａを側板１２Ａの第１の係入溝２７Ａ，２６Ａに係入すると、図１０（Ｃ）に示すように折曲片３４のねじ孔３５が第１のねじ挿通孔２８Ａから２αだけ離間する。したがって、第１のねじ挿通孔２８Ａから締結手段としてのねじ４０を挿通させようとしても、ねじ４０をねじ孔３５に螺合させることはできない。
【００３８】
次に、図８（Ａ）の状態から、連結板３３を矢印Ｂ方向に指向させたままの状態で、第１の突片３６Ａ，３７Ａを側板１２Ｂに対向させ、第２の突片３６Ｂ，３７Ｂを側板１２Ｂに対向させるように、支持部材３０の長手方向を１８０°回動させる。この状態では、側板１２Ｂの第２のねじ挿通孔２８Ｂと、支持部材３０のねじ孔３５との矢印Ａ−Ｂ方向における位置関係は、図１１（Ａ）、（Ｂ）に示すように、支持部材３０を回動させる以前の図８（Ａ）の状態と同じであるから一致する。
【００３９】
また、第２のねじ挿通孔２８Ｂが一対の第２の係入溝２６Ｂ，２７Ｂ間の中央に位置し、かつねじ孔３５が第１の突片３６Ａ，３７Ａ間の中央に位置しているから、図１１（Ａ）、（Ｂ）に示すように、第２のねじ挿通孔２８Ｂとねじ孔３５との上下方向における位置が一致する。
【００４０】
したがって、図１１（Ｃ）に示すように、第２のねじ挿通孔２８Ｂとねじ孔３５とが一致するから、第２のねじ挿通孔２８Ｂから挿通させたねじ４０をねじ孔３５に螺合させることはできる。換言すれば、支持部材３０を、側板１２Ａの第１のねじ挿通孔２８Ａから挿通させたねじ４０によっても、また側板１２Ｂの第２のねじ挿通孔２８Ｂから挿通させたねじ４０によっても、側板１２Ａ，１２Ｂに取り付けることが可能になる。
【００４１】
次に、このような構成の蓄電池の収納構造において、蓄電池を蓄電池収納箱１０内へ収納する方法について説明する。先ず、図４および図１２ないし図１４を用いて、蓄電池を２個収納する方法について説明する。図４において、蓄電池５が収納されていない空の蓄電池収納箱１０を、側板１２Ｂと背面板１３とを部屋の壁に対接させ、底板１１を床（いずれも図示せず）に載置するようにして部屋の隅に設置する。
【００４２】
次いで、２個の蓄電池５，５を前方の開口部１５から蓄電池収納箱１０内に挿入し、同図に二点鎖線で示すように、２個の蓄電池５，５を矢印Ｃ−Ｄ方向に並べるようにして、それぞれの側面を両側板１２Ａ，１２Ｂに対接させ、後面を背面板１３に対接させる。
【００４３】
しかる後、支持部材３０を前方の開口部１５から蓄電池収納箱１０内に差し入れ、図１２に示すように第２の突片３６Ｂ，３７Ｂを、側板１２Ｂに設けられた支持部２３Ｂの第２の係入溝２６Ｂ，２７Ｂに係入する。この状態で、支持部材３０を図１３に示すように矢印Ｄ方向へ移動させ、第２の突片３６Ｂ，３７Ｂ全体を、側板１２Ｂに設けられた支持部２３Ｂの第２の係入溝２６Ｂ，２７Ｂに係入し、第１の突片３６Ａ，３７Ａを側板１２Ａに設けた支持部２３Ａの第１の係入溝２６Ａ，２７Ａに対向させる。
【００４４】
次いで、支持部材３０を矢印Ｃ方向へ移動させ、図１４に示すように第１の突片３６Ａ，３７Ａを支持部２３Ａの第１の係入溝２６Ａ，２７Ａに係入し、折曲片３４を側板１２Ａに対接させる。
【００４５】
この状態で、上述したように、支持部材３０の長手方向の寸法Ｌ１からｌ１を減算した長さ（Ｌ１−ｌ１）が、両側板１２Ａ、１２Ｂ間の間隔Ｌよりもやや長く形成されているから、第２の突片３６Ｂ，３７Ｂも第２の係合溝２６Ｂ，２７Ｂに係入した状態が保持される。したがって、支持部材３０は両側板１２Ａ，１２Ｂに支持された状態となり、かつ図９（ｃ）に示すように、側板１２Ａの第１のねじ挿通孔２８Ａに支持部材３０のねじ孔３５が一致している。
【００４６】
このため、作業者は、支持部材３０を手で支持することなく、ねじ４０を第１のねじ挿通孔２８Ａに挿通させるだけで、ねじ孔３５に螺合させることができるから、支持部材３０を側板１２Ａに容易に取り付けることができる。支持部材３０を側板１２Ａに取り付けることにより、支持部材３０は両側板１２Ａ，１２Ｂ間に横架される。
【００４７】
特に、床等に置かれた蓄電池収納箱１０に支持部材３０を取り付けるときのように作業姿勢が悪い状態での締結作業を行う場合でも、支持部材３０を手で保持することなく締結作業を行うことができるため、作業者の負荷を軽減することができる。このように両側板１２Ａ，１２Ｂ間に横架された支持部材３０の連結板３３が、図４に示すように２個の蓄電池５，５の前面に対接することにより、蓄電池５，５の矢印Ａ方向への移動が阻止される。
【００４８】
この状態から蓄電池５の収納個数を４個に変更する場合は、支持部材３０のねじ孔３５に対するねじ４０の螺合を解除し、図１３に示すように、支持部材３０を矢印Ｄ方向に移動させ、第１の係入溝２６Ａ，２７Ａに対する第１の突片３６Ａ，３７Ａの係合を解除する。次いで、支持部材３０の第１の突片３６Ａ，３７Ａ側を矢印Ａ方向に移動させるようにして、第２の係入溝２６Ｂ，２７Ｂに対する第２の突片３６Ｂ，３７Ｂの係合を解除し、支持部材３０を蓄電池収納箱１０の開口部１５から取り外す。
【００４９】
この状態としてから、開口部１５から２個の蓄電池５，５を蓄電池収納箱１０内に挿入し、図５に示すように、４個の蓄電池５を矢印Ａ−Ｂ方向に２列に並べる。しかる後、再び支持部材３０を前方の開口部１５から蓄電池収納箱１０内に差し入れ、第２の突片３６Ｂ，３７Ｂを、側板１２Ｂに設けられた支持部２４Ｂの係入溝２６Ｂ，２７Ｂに係入する。
【００５０】
この状態で、支持部材３０を矢印Ｄ方向へ移動させ、第２の突片３６Ｂ，３７Ｂ全体を、側板１２Ｂに設けられた支持部２４Ｂの第２の係入溝２６Ｂ，２７Ｂに係入し、第１の突片３６Ａ，３７Ａを側板１２Ａに設けた支持部２４Ａの第１の係入溝２６Ａ，２７Ａに対向させる。次いで、支持部材３０を矢印Ｃ方向へ移動させ、第１の突片３６Ａ，３７Ａを支持部２４Ａの第１の係入溝２６Ａ，２７Ａに係入し、折曲片３４を側板１２Ａに対接させる。
【００５１】
第１のねじ挿通孔２８Ａに挿通させたねじ４０をねじ孔３５に螺合させることにより、支持部材３０を側板１２Ａに取り付け、支持部材３０を両側板１２Ａ，１２Ｂ間に横架させる。このように両側板１２Ａ，１２Ｂ間に横架された支持部材３０の連結板３３が、図５に示すように新たに収納した２個の蓄電池５，５の前面に対接することにより、４個の蓄電池５の矢印Ａ方向への移動が阻止され、４個の蓄電池５が蓄電池収納箱１０内に収納される。
【００５２】
この状態から蓄電池５の収納個数を６個に変更する場合は、支持部材３０のねじ孔３５に対するねじ４０の螺合を解除し、支持部材３０を矢印Ｄ方向に移動させ、第１の係入溝２６Ａ，２７Ａに対する第１の突片３６Ａ，３７Ａの係合を解除する。次いで、支持部材３０の第１の突片３６Ａ，３７Ａ側を矢印Ａ方向に移動させるようにして、第２の係入溝２６Ｂ，２７Ｂに対する第２の突片３６Ｂ，３７Ｂの係合を解除し、支持部材３０を蓄電池収納箱１０の開口部１５から取り外す。
【００５３】
この状態としてから、開口部１５から２個の蓄電池５，５を蓄電池収納箱１０内に挿入し、図６に示すように、６個の蓄電池５を矢印Ａ−Ｂ方向に３列に並べる。しかる後、再び支持部材３０を前方の開口部１５から蓄電池収納箱１０内に差し入れ、第２の突片３６Ｂ，３７Ｂを、側板１２Ｂに設けられた支持部２５Ｂの第２の係入溝２６Ｂ，２７Ｂに係入する。
【００５４】
この状態で、支持部材３０を矢印Ｄ方向へ移動させ、第２の突片３６Ｂ，３７Ｂ全体を、側板１２Ｂに設けられた支持部２５Ｂの第２の係入溝２６Ｂ，２７Ｂに係入し、第１の突片３６Ａ，３７Ａを側板１２Ａに設けた支持部２５Ａの第１の係入溝２６Ａ，２７Ａに対向させる。次いで、支持部材３０を矢印Ｃ方向へ移動させ、第１の突片３６Ａ，３７Ａを支持部２５Ａの第１の係入溝２６Ａ，２７Ａに係入し、折曲片３４を側板１２Ａに対接させる。
【００５５】
第１のねじ挿通孔２８Ａに挿通させたねじ４０をねじ孔３５に螺合させることにより、支持部材３０を側板１２Ａに取り付け、支持部材３０を両側板１２Ａ，１２Ｂ間に横架させる。このように両側板１２Ａ，１２Ｂ間に横架された支持部材３０の連結板３３が、図６に示すように新たに収納した２個の蓄電池５，５の前面に対接することにより、６個の蓄電池５の矢印Ａ方向への移動が阻止され、６個の蓄電池５が蓄電池収納箱１０内に収納される。
【００５６】
このように、１個の支持部材３０によって、蓄電池収納箱１０内に選択された個数の蓄電池５を収納することができるため、蓄電池５の収納数によって支持部材３０を新たに用意しなければならなくなったり、不要になった支持部材３０を保管しておく必要がないため使い勝手が向上する。また、部品点数が増加しないため製造コストを低減することができる。
【００５７】
次に、蓄電池収納箱１０を、側板１２Ａ側が部屋の壁に対接された状態で設置した場合における支持部材３０の取付方法を説明する。この場合は、側板１２Ａの第１のねじ挿通孔２８Ａにねじ４０を挿通させることができない。このため、蓄電池収納箱１０の前方の開口部１５から差し入れる支持部材３０を、図８（Ａ）に示す状態から、連結板３３を矢印Ｂ方向に指向させたままの状態で、第１の突片３６Ａ，３７Ａを側板１２Ｂに対向させ、第２の突片３６Ｂ，３７Ｂを側板１２Ａに対向させるように、支持部材３０の長手方向を１８０°回動させる。この状態で、第１の突片３６Ａ，３７Ａを側板１２Ｂの第２の係入溝２７Ｂ，２６Ｂのそれぞれに係入し、第２の突片３６Ｂ，３７Ｂを側板１２Ａの第１の係入溝２７Ａ，２６Ａのそれぞれに係入する。
【００５８】
この場合、側板１２Ｂの第２のねじ挿通孔２８Ｂと、支持部材３０のねじ孔３５との矢印Ａ−Ｂ方向における位置関係は、図１１（Ａ）、（Ｂ）に示すように、支持部材３０を回動させる以前の図８（Ａ）の状態と同じであるから一致する。また、第２のねじ挿通孔２８Ｂが一対の第２の係入溝２６Ｂ，２７Ｂ間の中央に位置し、かつねじ孔３５が第１の突片３６Ａ，３７Ａ間の中央に位置しているから、図１１（Ａ）、（Ｂ）に示すように、第２のねじ挿通孔２８Ｂとねじ孔３５との上下方向における位置が一致する。
【００５９】
したがって、図１１（Ｃ）に示すように、第２のねじ挿通孔２８Ｂとねじ孔３５とが一致するから、第２のねじ挿通孔２８Ｂから挿通させたねじ４０をねじ孔３５に螺合させることはできる。すなわち、支持部材３０を、壁と対接していない側板１２Ｂ側の第２のねじ挿通孔２８Ｂから挿通させたねじ４０によっても、側板１２Ａ，１２Ｂに取り付けることができる。このように、支持部材３０を、側板１２Ａからも側板１２Ｂ側からでも取り付けることが可能なため、主装置１の設置場所に制約がなくなるから、設置する作業者の使い勝手が向上する。
【００６０】
次に、誤って、支持部材３０の連結部３３が指向する向きを逆にして開口部１５から蓄電池収納箱１０内に差し入れた場合を説明する。すなわち、支持部材３０の連結部３３が指向する向きを図８（Ｂ）に示すように、矢印Ａ方向とすると、上板３１および下板３２の端面３１ａ，３２ａが蓄電池収納箱１０内に収納された蓄電池５の前面に対接することになる。
【００６１】
上述したように、支持部材３０は、金属製の板材をプレス加工により折り曲げ形成することにより、断面をコ字状に形成したものであり、金属製の板材を切断する際に上板３１および下板３２の端面３１ａ，３２ａにばりが発生する。この端面３１ａ，３２ａを蓄電池５の前面に対接させると、ばりによって蓄電池５の前面に傷を付けるおそれがある。
【００６２】
本発明においては、誤って、支持部材３０の連結部３３が指向する向きを逆にした場合、すなわち、図８（Ａ）に示した状態から、同図（Ｂ）に示すように、支持部材３０の上板３１と下板３２との上下を逆とするように支持部材３０を長手方向を軸として１８０°回動させた場合は、支持部材３０を側板１２Ａ，１２Ｂに取り付けられないような構造としている。
【００６３】
すなわち、図８（Ｂ）に示す状態にして、第１の突片３６Ａ，３７Ａを側板１２Ａの第１の係入溝２７Ａ，２６Ａに係入すると、図１０（Ｃ）に示すように折曲片３４のねじ孔３５が第１のねじ挿通孔２８Ａから２αだけ離間する。したがって、第１のねじ挿通孔２８Ａからねじ４０を挿通させようとしても、ねじ４０をねじ孔３５に螺合させることはできない。
【００６４】
図１５は本発明の第２の実施の形態の要部を示す斜視図である。同図において、上述した図１ないし図１４に示す第１の実施の形態において説明した同一または同等の部材については、同一の符号を付し詳細な説明は適宜省略する。上述した第１の実施の形態においては、第１の突片３６Ａ，３７Ａおよび第２の突片３６Ｂ，３７Ｂの幅を全て同じ長さＷ１に形成したが、この第２の実施の形態においては、支持部材１３０の第２の突片のいずれか一方の突片３７Ｂの幅Ｗ２を他の突片の幅Ｗ１よりも長く形成している。
【００６５】
また、第２の係入溝のうち一方の係入溝２７Ｂの幅Ｗ２を、上述した第２の突片のうちの一方の突片３７Ｂの幅Ｗ２と同じ長さに形成し、他方の係入溝２６Ｂの幅Ｗ１を上述した第２の突片のうちの他方の突片３６Ｂの幅Ｗ１と同じ長さに形成している。
【００６６】
また、第１の係入溝のうちの一方の係入溝２６Ａの幅Ｗ２を、上述した第２の突片のうちの一方の突片３７Ｂの幅Ｗ２と同じ長さに形成し、他方の係入溝２７Ａの幅Ｗ１を上述した第２の突片のうちの他方の突片３６Ｂの幅Ｗ１と同じ長さに形成している。さらに、第２の係入溝のうちの他方の係入溝２６Ｂと第１の係入溝のうちの一方の係入溝２６Ａとを互いに対向させ、第２の係入溝のうちの一方の係入溝２７Ｂと第１の係入溝のうちの他方の係入溝２７Ａとを互いに対向させている。
【００６７】
このような構成において、支持部材１３０を側板１２Ａ側からねじ４０によって取り付ける場合は、図示したように、第１の突片３６Ａ，３７Ａを第１の係入溝２６Ａ，２７Ａに係入し、第２の突片３６Ｂ，３７Ｂを第２の係入溝２６Ｂ，２７Ｂに係入し、第１のねじ挿通孔２８Ａから挿通したねじ４０を折曲片３４のねじ孔３５に螺合させる。
【００６８】
次に、支持部材１３０を側板１２Ｂ側からねじ４０によって取り付ける場合は、図示した状態から連結板３３を矢印Ｂ方向に指向させたままの状態で、第１の突片３６Ａ，３７Ａを側板１２Ｂに対向させ、第２の突片３６Ｂ，３７Ｂを側板１２Ａに対向させるように、支持部材１３０の長手方向を１８０°回動させる。この状態で、第１の突片３６Ａ，３７Ａを側板１２Ｂの係入溝２７Ｂ，２６Ｂのそれぞれに係入し、第２の突片３６Ｂ，３７Ｂを側板１２Ａの係入溝２７Ａ，２６Ａのそれぞれに係入する。しかる後、第２のねじ挿通孔２８Ｂから挿通したねじ４０を折曲片３４のねじ孔３５に螺合させる。
【００６９】
ここで、誤って、支持部材１３０の連結部３３が指向する向きを逆にして取り付けようとした場合、すなわち、図１５に示した状態から、支持部材１３０の上板３１と下板３２との上下を逆とするように支持部材３０を長手方向を軸として１８０°回動させた場合は、第２の突片のうちの他方の突片３７Ｂが第２の係入溝のうちの一方の係入溝２６Ｂに対向する。
【００７０】
これら突片３７Ｂと係入溝２６Ｂとの互いの幅の長さが異なるため、突片３７Ｂの係入溝２６Ｂへの係入が阻止される。このように突片３７Ｂを係入溝２６Ｂに係入しようとする段階で、支持部材１３０が側板１２Ｂに取り付けられないことが判るため、取付作業をやり直す時間が短縮されるから作業効率が向上する。
【００７１】
なお、本実施の形態においては、蓄電池を２個、４個、６個収納する例を説明したが、蓄電池収納箱１０の前後方向の寸法を大きくすることにより、８個以上収納することも可能である。また、蓄電池収納箱１０の左右の側板間の寸法を蓄電池１個分とすることにより、蓄電池を１個からＮ個まで１個ずつ増やすように収納することもできる。
【図面の簡単な説明】
【００７２】
【図１】本発明に係る蓄電池の収納構造を適用したボタン電話装置の主装置の外観を示す斜視図である。
【図２】本発明に係る蓄電池の収納構造を適用したボタン電話装置の主装置を構成する蓄電池ボックスの外観を示す斜視図である。
【図３】本発明に係る蓄電池収納箱の正面図である。
【図４】本発明に係る蓄電池収納箱に蓄電池を２個収納した状態を示す斜視図である。
【図５】本発明に係る蓄電池収納箱に蓄電池を４個収納した状態を示す斜視図である。
【図６】本発明に係る蓄電池収納箱に蓄電池を６個収納した状態を示す斜視図である。
【図７】本発明に係る蓄電池の収納構造における支持部材を示し、同図（Ａ）は平面図、同図（Ｂ）は正面図、同図（Ｃ）は右側面図である。
【図８】本発明に係る蓄電池の収納構造において、支持部材の突片と側板の係入溝との関係を説明するための斜視図で、同図（Ａ）は支持部材が取付可能な正常な状態を示し、同図（Ｂ）は支持部材の前後方向を逆とした場合の取付けができない状態を示す。
【図９】本発明に係る蓄電池の収納構造において、支持部材の突片と側板の係入溝との位置関係を説明するための図８（Ａ）におけるIX矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示す。
【図１０】本発明に係る蓄電池の収納構造において、支持部材の前後方向を逆とした場合に取付けができないことを説明するための図８（Ｂ）における X矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示す。
【図１１】本発明に係る蓄電池の収納構造において、支持部材を左右の側板のいずれからでもねじ止めが可能であることを説明するための図８（Ａ）におけるXI矢視図で、同図（Ａ）は係入溝とねじ挿通孔との位置関係を示し、同図（Ｂ）は突片とねじ孔との位置関係を示し、同図（Ｃ）は突片を係入溝に係入させたときのねじ挿通孔とねじ孔との位置関係を示す。
【図１２】本発明に係る蓄電池の収納構造において、支持部材を両側板間に横架するために支持部材の第２の突片を側板の第２の係入溝に係入する状態を示し、同図（Ａ）は横断面図、同図（Ｂ）は縦断面図である。
【図１３】本発明に係る蓄電池の収納構造において、支持部材を両側板間に横架するために支持部材の第２の突片全体を側板の第２の係入溝に係入し、支持部材の第１の突片を側板の第１の係入溝に対向させた状態を示し、同図（Ａ）は横断面図、同図（Ｂ）は縦断面図である。
【図１４】本発明に係る蓄電池の収納構造において、支持部材を両側板間に横架するために支持部材の第２の突片を側板の第２の係入溝に係入したままの状態で、支持部材の第１の突片を側板の第１の係入溝に係入した状態を示し、同図（Ａ）は横断面図、同図（Ｂ）は縦断面図である。
【図１５】本発明の第２の実施の形態の要部を示す斜視図である。
【符号の説明】
【００７３】
１…主装置、２…蓄電池ボックス、５…蓄電池、１０…蓄電池収納箱、１１…底板、１２Ａ，１２Ｂ…側板、１３…背面板、１５…開口部、２３Ａないし２５Ａ，２３Ｂないし２５Ｂ…支持部、２６Ａ，２７Ａ…第１の係入溝、２６Ｂ，２７Ｂ…第２の係入溝、２８ａ…第１のねじ挿通孔、２８ｂ…第２のねじ挿通孔、３０，１３０…支持部材、３１…上板、３２…下板、３３…連結板、３４…折曲板、３５…ねじ孔、３６Ａ，３７Ａ…第１の突片、３６Ｂ，３７Ｂ…第２の突片、４０…ねじ（締結手段）。
【図１】
0004715347.tif 000002
【図２】
0004715347.tif 000003
【図３】
0004715347.tif 000004
【図４】
0004715347.tif 000005
【図５】
0004715347.tif 000006
【図６】
0004715347.tif 000007
【図７】
0004715347.tif 000008
【図８】
0004715347.tif 000009
【図９】
0004715347.tif 000010
【図１０】
0004715347.tif 000011
【図１１】
0004715347.tif 000012
【図１２】
0004715347.tif 000013
【図１３】
0004715347.tif 000014
【図１４】
0004715347.tif 000015
【図１５】
0004715347.tif 000016